(57)【要約】【課題】ライダー装置において走査の高分解能化と光源の長寿命化を両立させる技術を提供する。【解決手段】投光部１０は、それぞれが光を出力するように構成された複数の光源１１，１２を有する。受光部３０は、投光部１０から出力され、被検物に反射した光を受光する。  光源１１，１２は、予め設定された配列方向に沿って一列に並ぶ複数の発光領域Ａ１，Ａ２を持つ半導体レーザが用いられる。発光領域Ａ１，Ａ２の配列方向の幅をＬ、発光領域Ａ１，Ａ２の配置間隔をＳとして、発光領域Ａ１，Ａ２は、Ｌ≧Ｓを満たすように配置される。複数の光源１１，１２は、光源１１の発光領域Ａ１，Ａ２に基づく光ビームＢ１１，Ｂ１２間の隙間が、光源１２の発光領域Ａ１に基づく光ビームＢ２１で覆われ、また、光ビームＢ２１，Ｂ２２の隙間が、光ビームＢ１２で覆われるように配置される。【選択図】図１２
2019128229.tif 000002
【特許請求の範囲】
【請求項１】
それぞれが光を出力するように構成された複数の光源（１１，１２）を有する投光部（１０）と、
前記投光部から出力され、被検物に反射した光を受光するように構成された受光部（３０）と、
を備え、
前記光源は、予め設定された配列方向に沿って一列に並ぶ複数の発光領域を持つ半導体レーザが用いられ、前記光源の数をＭ、前記発光領域の前記配列方向の幅をＬ、前記発光領域の配置間隔をＳとして、前記発光領域は、（Ｍ−１）×Ｌ≧Ｓを満たすように配置され、
前記複数の光源は、着目する一つの光源の複数の発光領域に基づく複数の光ビーム間の隙間が、他の光源の複数の発光領域から出力されるＭ−１個の光ビームによって覆われるように配置された、
ライダー装置。
【請求項２】
請求項１に記載のライダー装置であって、
前記投光部から出力される光の出射方向を、前記配列方向に直交する方向に沿って変化させることで走査すると共に、走査範囲内に存在する前記被検物からの反射光を、前記受光部に導くように構成されたスキャン部（２０）
を更に備えるライダー装置。
【請求項３】
請求項１または請求項２に記載のライダー装置であって、
前記複数の光源のそれぞれから出力される複数の光ビームである投光ビームの各光軸が、互いに異なる角度で傾斜するように設定された、
ライダー装置。
【請求項４】
請求項３に記載のライダー装置であって、
前記複数の投光ビームの各光軸が互いに交差するように設定された、
ライダー装置。
【請求項５】
請求項３または請求項４に記載のライダー装置であって、
前記複数の投光ビームの各光軸が予め設定された基準面に対して対称な方向を示すように設定された、
ライダー装置。
【請求項６】
請求項３から請求項５までのいずれか１項に記載のライダー装置であって、
前記投光部は、
前記複数の光源のいずれかから出力された光を反射して、光の経路を変化させるように構成された１つ以上の光学素子（１５）を更に備える
ライダー装置。
【請求項７】
請求項３から請求項５までのいずれか１項に記載のライダー装置であって、
前記投光部は、
前記複数の光源は、それぞれが異なった偏光方向を有する光を照射するように構成され、
前記複数の光源のいずれかから出力される特定の偏光方向を有した光を透過又は反射するように構成された１つ以上の光学素子（１６）を更に備える
ライダー装置。
【請求項８】
請求項１から請求項７までのいずれか１項に記載のライダー装置であって、
前記複数の光源は、縦位置が互いに異なるように配置され、
前記縦位置は、前記発光領域の配列方向に沿った方向である
ライダー装置。
【請求項９】
請求項１から請求項８までのいずれか１項に記載のライダー装置であって、
前記投光部は、
前記複数の光源のそれぞれに設けられ、前記光源から出力される光を透過させ、前記光源との位置関係に応じて光ビームの径及び進行方向のうち少なくとも一方を光学的に変化させるように構成された調整素子（１３，１４）を更に備える、
ライダー装置。
【発明の詳細な説明】
【技術分野】
【０００１】
本開示は、光偏向デバイスを備えたライダー装置に関する。
【背景技術】
【０００２】
ライダー装置では、光を偏向して走査を実現する光偏向デバイスの一つとして、回転駆動される偏向ミラーが用いられている。なお、ライダーは、ＬＩＤＡＲとも表記され、Light Detection and Rangingの略語である。つまり、回転する偏向ミラーに入射する光の入射角度が、偏向ミラーの回転位置によって変化することにより、偏向ミラーからの光の出射角度を、偏向ミラーの回転軸に直交する面（以下、水平面）内で変化させる。
【０００３】
また、２次元的な走査を実現する手法として、下記特許文献１には、偏向ミラーの反射面を回転軸に対して傾斜させ、傾斜角度が異なる複数の偏向ミラーを用いることで、偏向ミラー毎に、水平面に直交する面（以下、垂直面）内での偏向ミラーからの光の出射角度を変化させる技術が記載されている。
【先行技術文献】
【特許文献】
【０００４】
【特許文献１】特許第６０２５０１４号公報
【発明の概要】
【発明が解決しようとする課題】
【０００５】
しかしながら、発明者の詳細な検討の結果、特許文献１に記載の従来技術には、以下の課題があることが見出された。
ライダー装置において、水平面に直交する方向における走査（以下、副走査）の分解能を向上させるには、傾斜角度の異なる偏向ミラーの数を増やし、垂直角度を順次変化させながら水平面に沿った方向への走査（以下、主走査）を繰り返す必要がある。ところが、従来技術では、光源が一つであるため、副走査の分解能を向上させるほど、光源の発光回数、ひいては総発光時間が増大し、光源の寿命が短くなる。その結果、長時間駆動が必要な自動車用部品等の用途への適用が制約されてしまう。
【０００６】
本開示の１つの局面は、ライダー装置において走査の高分解能化と光源の長寿命化を両立させる技術を提供することにある。
【課題を解決するための手段】
【０００７】
本開示の一態様によるライダー装置は、投光部（１０）と、受光部（３０）とを備える。
投光部は、それぞれが光を出力するように構成された複数の光源（１１，１２）を有する。なお、ここでいう光源は、レンズやミラー等の光学部材を含んでもよい。受光部は、投光部から出力され、被検物に反射した光を受光する。光源は、予め設定された配列方向に沿って一列に並ぶ複数の発光領域を持つ半導体レーザが用いられる。そして、光源の数をＭ、発光領域の配列方向の幅をＬ、発光領域の配置間隔をＳとして、各光源において発光領域は、（Ｍ−１）×Ｌ≧Ｓを満たすように配置される。また、複数の光源は、着目する一つの光源の複数の発光領域に基づく複数の光ビーム間の隙間が、他の光源の複数の発光領域から出力されるＭ−１個の光ビームによって覆われるように配置される。
【０００８】
このような構成によれば、各光源における発光領域の数をＮとすると、各光源を１回ずつ発光させるだけで発光領域の配列方向に沿ってＭ×Ｎ画素分の走査を実現することができる。つまり、少ない発光回数で多くの画素が得られるため、走査の高分解能化と光源の長寿命化とを両立させることができる。
【０００９】
なお、この欄及び特許請求の範囲に記載した括弧内の符号は、一つの態様として後述する実施形態に記載の具体的手段との対応関係を示すものであって、本開示の技術的範囲を限定するものではない。
【図面の簡単な説明】
【００１０】
【図１】ライダー装置の外観を示す斜視図である。
【図２】ライダー装置の筐体内に収納される光検出モジュールの構成を示す斜視図である。
【図３】光検出モジュールの構成部品を一体化するフレームの一部を除いて示した光検出モジュールの正面図である。
【図４】ライダー装置の筐体を除いて示した平面図である。
【図５】ミラーモジュールの構成を示す説明図である。
【図６】光源の構成を示す説明図である。
【図７】受光素子の構成を示す説明図である。
【図８】投光時の光の経路、及び光の経路と投光折返ミラーとの位置関係を示す説明図である。
【図９】受光時の光ビームの経路を示す説明図である。
【図１０】光源及び受光素子の位置調整に関わる説明図である。
【図１１】偏向ミラーからの出射される光ビームの照射範囲を示す説明図である。
【図１２】光源の発光領域と受光素子の受光領域との対応関係を示す説明図である。
【図１３】光源の位置調整の具体例を示す説明図である。
【図１４】発光部の変形例を示す説明図である。
【図１５】図１４に示す変形例の場合における光源の位置関係を示す説明図である。
【図１６】光源の変形例を示す説明図である。
【図１７】３つの光源を用いた場合の各光源から照射される光ビームの配置を示す説明図である。
【発明を実施するための形態】
【００１１】
以下、図面を参照しながら、本開示の実施形態を説明する。
［１．構成］
図１に示すライダー装置１は、車両に搭載して使用され、車両の周囲に存在する様々な物体の検出等に用いられる。ライダーは、ＬＩＤＡＲとも表記される。ＬＩＤＡＲは、Light Detection and Rangingの略語である。
【００１２】
ライダー装置１は、図１に示すように、筐体１００と光学窓２００とを備える。
筐体１００は、１面が開口された直方体状に形成された樹脂製の箱体であり、後述する光検出モジュール２が収納される。
【００１３】
光学窓２００は、筐体１００の開口部を覆うように筐体１００に固定され、筐体１００の内部に設置される光検出モジュール２から照射されるレーザ光を透過する樹脂性の蓋体である。
【００１４】
以下、筐体１００の略長方形を有した開口部の長手方向に沿った方向をＸ軸方向、開口部の短手方向に沿った方向をＹ軸方向、Ｘ−Ｙ平面に直行する方向をＺ軸方向とする。なお、Ｘ軸方向における左右及びＹ軸方向における上下は、筐体１００の開口部側から見て定義する。また、Ｚ軸方向における前後は、筐体１００の開口部側を前、奥行き側を後と定義する。
【００１５】
光検出モジュール２は、図２〜図４に示すように、投光部１０と、スキャン部２０と、受光部３０とを備える。光検出モジュール２は、フレーム４０を介して筐体１００に組みつけられる。
【００１６】
［１−１．スキャン部］
スキャン部２０は、ミラーモジュール２１と、仕切板２２と、モータ２３とを備える。
ミラーモジュール２１は、図５に示すように、一対の偏向ミラー２１１，２１２と、ミラーフレーム２１３とを備える。
【００１７】
一対の偏向ミラー２１１，２１２は、いずれも、光を反射する反射面を有する平板状の部材である。ミラーフレーム２１３は、円板部２１３ａと、被固定部２１３ｂとを備える。円板部２１３ａは、円形かつ板状の部位であり、その円の中心がモータ２３の回転軸に固定される。被固定部２１３ｂは、両面に偏向ミラー２１１，２１２が固定される板状の部位であり、円板部２１３ａの円形面上に立設される。
【００１８】
なお、一対の偏向ミラー２１１，２１２及び被固定部２１３ｂは、いずれも、長手方向の幅が異なる二つの長方形を一体化した形状を有する。具体的には、二つの長方形を、短手方向に沿った中心軸を合わせて、その中心軸に沿って並べて一体化した形状を有する。以下、ミラーモジュール２１において、一対の偏向ミラー２１１，２１２及び被固定部２１３ｂが一体化された部位のうち、長手方向の狭い長方形の部位を幅狭部、長手方向の広い長方形の部位を幅広部という。
【００１９】
ミラーフレーム２１３を介して一体化された一対の偏向ミラー２１１，２１２は、幅広部を下にして、中心軸の位置が円板部２１３ａの円の中心と一致するようにして円板部２１３ａに立設される。これにより、一対の偏向ミラー２１１，２１２は、モータの駆動に従って、モータ２３の回転軸を中心とする回転運動をする。また、一対の偏向ミラー２１１，２１２の反射面は、モータ２３の回転位置によらず、常に、モータ２３の回転軸に対して平行となる。
【００２０】
仕切板２２は、ミラーモジュール２１の幅広部の長手方向の幅と同じ直径を有する円形かつ板状の部材である。仕切板２２は、半円状の２つの部位に分割されており、ミラーモジュール２１の幅狭部を両側から挟み込んだ状態、かつ、ミラーモジュール２１の幅広部と幅狭部との段差部分に当接した状態で固定される。
【００２１】
以下、一対の偏向ミラー２１１，２１２のうち、仕切板２２より上側の部位、即ち幅狭部側の部位を投光偏向部２０ａ、仕切板２２より下側の部位、即ち幅広部側の部位を受光偏向部２０ｂという。
【００２２】
［１−２．発光部］
投光部１０は、図２〜図４に示すように、一対の光源１１，１２を備える。投光部１０は、一対の投光レンズ１３，１４と、投光折返ミラー１５とを備えてもよい。
【００２３】
光源１１，１２は、同一の構成を有するため、ここでは、光源１１の構成についてのみ説明する。光源１１は、図６に示すように、複数の発光領域Ａ１，Ａ２を有した、いわゆるマルチストライプ半導体レーザである。発光領域Ａ１，Ａ２は、その配列方向に長い長方形状を有しており、配列方向に沿った領域幅をＬ、発光領域Ａ１，Ａ２間の領域間隔をＳとして、Ｌ≧Ｓを満たすように設定されている。各発光領域Ａ１，Ａ２からは、互いの光軸が平行な光ビームが照射される。
【００２４】
以下、投光偏向部２０ａにおいて、一対の光源１１，１２からの光ビームが入射される点を反射点という。また、回転軸に直交し反射点を含む面を基準面という。
図２〜図４に戻り、光源１１は、反射点からＸ軸に沿って左側に離れた位置に、発光面を投光偏向部２０ａに向けた状態で配置される。光源１２は、反射点から光源１１に至る経路の中心付近の折返点からＺ軸に沿って後側に離れた位置に、発光面をＺ軸の前側に向けた状態で配置される。但し、一対の光源１１，１２のＹ軸方向の位置である縦位置は、光源１１は基準面より低い位置に設定され、光源１２は基準面より高い位置に配置される。つまり、一対の光源１１，１２は、縦位置が異なるように配置される。また、光源１１，１２は、いずれも、発光領域Ａ１，Ａ２の配列方向がＹ軸方向と一致するように配置される。
【００２５】
投光レンズ１３は、光源１１の発光面に対向して配置されたレンズである。同様に、投光レンズ１４は、光源１２の発光面に対向して配置されたレンズである。なお、光源１１，１２は、投光レンズ１３，１４の焦点付近に配置される。これら投光レンズ１３，１４が調整素子の一例である。
【００２６】
投光折返ミラー１５は、上述の折返点に配置され、光源１２から出力され投光レンズ１４を透過した光を反射して反射点に導くように配置されている。また、投光折返ミラー１５は、図８に示すように、光源１１から出力され投光レンズ１３を透過して反射点に向かう光の経路を遮ることがないように、この経路より上側に配置される。また、光源１１から反射点に至る光の経路と、光源１２から投光折返ミラー１５を介して反射点に至る光の経路とは同じ長さとなるように設定される。なお、光源１１は、光軸が基準面に対して１〜２°上向きに傾き、光源１２は、光軸が基準面に対して１〜２°下向きに傾くように設定される。つまり、光源１１，１２の光軸は、基準面に対して対称な方向を向く。この角度は、１〜２°に限定されるものではなく、副走査方向への必要な光ビーム出射角度に応じて適宜設定される。
【００２７】
［１−３．受光部］
受光部３０は、受光素子３１を備える。受光部３０は、受光レンズ３２と、受光折返ミラー３３とを備えてもよい。
【００２８】
受光素子３１は、図７に示すように、ＡＰＤアレイ３１１と、レンズアレイ３１２とを有する。ＡＰＤアレイ３１１は、１２個のＡＰＤが１列に配置されている。ＡＰＤは、アバランシェフォトダイオードである。レンズアレイ３１２は、ＡＰＤアレイ３１１に属する各ＡＰＤに対向配置された１２個のレンズであり、受光素子３１に入射される光を絞って各ＡＰＤに入射する。
【００２９】
受光素子３１は、図３及び図９に示すように、受光面をＹ軸に沿った上側に向け、且つ、ＡＰＤアレイ３１１におけるＡＰＤの配列方向がＸ軸方向と一致するように、受光折返ミラー３３の下部に配置される。図３では、各部の配置を見やすくするため、フレーム４０の一部が省略されている。
【００３０】
受光折返ミラー３３は、受光偏向部２０ｂに対してＸ軸に沿って左側に配置され、受光偏向部２０ｂから、受光レンズ３２を介して入射する光が受光素子３１に到達するように、光の経路をＹ軸方向の下側に略９０°曲げるように配置される。
【００３１】
受光レンズ３２は、受光偏向部２０ｂと受光折返ミラー３３との間に配置されるレンズである。受光レンズ３２は、受光素子３１に入射する光ビームのＺ軸方向に沿ったビーム幅が、ＡＰＤの素子幅程度となるように絞る。
【００３２】
［１−４．フレーム］
フレーム４０は、投光部１０、スキャン部２０、及び受光部３０が有する各部品を１体に組みつけることで、これら部品間の位置関係が確定された状態で、筐体１００内に組み付けるための部材である。
【００３３】
フレーム４０は、図２〜図４に示すように、フレーム下部４１と、フレーム側面部４２と、フレーム背面部４３と、仕切部４４とを有する。
フレーム下部４１には、その下側から、受光素子３１が組み付けられた受光基板５１と、スキャン部２０が組み付けられたモータ基板５２とが取り付けられる。このため、フレーム下部４１には、受光折返ミラー３３から受光素子３１に至る光の経路となる部位、及びスキャン部２０のモータ２３が配置される部位に、孔が設けられている。
【００３４】
フレーム側面部４２には、スキャン部２０に対向する側の面を表面として、その表面に、円筒状のホルダ４２１が突設される。ホルダ４２１の表面側端（即ち、Ｘ軸方向の右側端）には、その開口部を塞ぐように投光レンズ１３が組み付けられる。また、フレーム側面部４２の裏面には、光源１１が組みつけられた発光基板５３が取り付けられる。フレーム側面部４２に発光基板５３が取り付けられると、光源１１はホルダ４２１の裏面側端（即ち、Ｘ軸方向の左側端）に位置する。
【００３５】
フレーム背面部４３には、フレーム側面部４２と同様に、ホルダ４３１が突設され、ホルダ４３１の表面側端（即ち、Ｚ軸方向の前側端）には、投光レンズ１４が組み付けられる。また、フレーム背面部４３の裏面には、光源１２が組み付けられた発光基板５４が取り付けられる。フレーム背面部４３に発光基板５４が取り付けられると、光源１２はホルダ４３１の裏面側端（即ち、Ｚ軸方向の後側端）に位置する。
【００３６】
仕切部４４は、投光部１０に属する各部品が配置される空間と、受光部３０に属する各部品が配置される空間とを仕切る位置に設けられる。仕切部４４には、投光折返ミラー１５、受光折返ミラー３３及び受光レンズ３２が組み付けられる。
【００３７】
なお、受光基板５１及び一対の発光基板５３，５４は、それぞれネジ止めによりフレーム４０に取り付けられる。これら受光基板５１及び一対の発光基板５３，５４の取付位置および角度を調整することにより、受光素子３１及び一対の光源１１，１２の取付位置および角度を、それぞれ個別に、３次元的に微調整できるように構成されている。
ここでは、ホルダ４２１，４３１が、フレーム側面部４２及びフレーム背面部４３と一体に設けられるが、これらは発光基板５３，５４と一体に設けられてもよい。
【００３８】
［２．制御］
制御部６０は、例えば、筐体１００に組みつけられる。制御部６０は、スキャン部２０のミラーモジュール２１の回転に同期して、光源１１，１２の発光タイミングを制御する。具体的には、光源１１からの光ビームは偏向ミラー２１１に入射され、光源１２からの光ビームは、偏向ミラー２１２に入射されるように制御する。
【００３９】
［３．動作］
図８に示すように、光源１１から出力された光は、投光レンズ１３を介して投光偏向部２０ａの反射点Ｐに入射される。また、光源１２から出力された光は、投光レンズ１４を透過後、投光折返ミラー１５で進行方向が略９０°曲げられて投光偏向部２０ａの反射点Ｐに入射される。但し、光源１１と光源１２とでは、投光偏向部２０ａの異なる面が使用される。反射点Ｐに入射された光は、ミラーモジュール２１の回転位置に応じた方向に向けて出射される。
【００４０】
図９に示すように、ミラーモジュール２１の回転位置に応じた所定方向（即ち、投光偏向部２０ａからの光の出射方向）に位置する被検物からの反射光は、受光偏向部２０ｂで反射し、受光レンズ３２及び受光折返ミラー３３を介して受光素子３１で受光される。なお、被検物は、ライダー装置１の検出対象となる様々な物標である。
【００４１】
つまり、ライダー装置１では、Ｘ軸方向に沿った水平方向の走査（以下、主走査）は、ミラーモジュール２１の回転によりメカ的に実現される。また、Ｙ軸方向に沿った垂直方向の走査（以下、副走査）は、垂直方向に並ぶ４つのビームを出力する光源１１，１２と、これを受光するＡＰＤアレイ３１１により電子的に実現される。
【００４２】
［４．光源及び受光素子の位置調整］
図８〜図１０に示すように、光源１１，１２は、投光偏向部２０ａの反射点Ｐまでの光路長が等しくなり、且つ、反射点Ｐにて互いの光軸が交差するように配置される。また、受光素子３１は、受光レンズ３２の焦点付近に配置される。
【００４３】
ここで、光源１１の発光領域Ａ１，Ａ２に基づく光ビームをＢ１１，Ｂ１２とし、光源１２の発光領域Ａ１，Ａ２に基づく光ビームをＢ２１，Ｂ２２とする。図１１に示すように、投光偏向部２０ａの反射点Ｐから放射される光ビームは、Ｙ−Ｚ面において、光源１１に基づく二つの光ビームＢ１１，Ｂ１２の間の隙間を、光源１２に基づく一つの光ビームＢ２１が覆い、光源１２に基づく二つの光ビームＢ２１，Ｂ２２の間の隙間を、光源１１に基づく一つの光ビームＢ１２が覆うように設定される。しかも、各光ビームＢ１１，Ｂ２１，Ｂ１２，Ｂ２２の間に隙間ができないように、光源１１，１２の位置が微調整される。また、図１２に示すように、受光素子３１のＡＰＤアレイ３１１上において、各光ビームＢ１１，Ｂ２１，Ｂ１２，Ｂ２２が、照射された被検物からの反射光（以下、受光ビーム）が、各ＡＰＤのＺ軸方向の中心に照射され、それぞれが異なる３素子ずつに照射されるように微調整される。
【００４４】
なお、投光偏向部２０ａの反射面は、ミラーモジュール２１の回転軸に平行であるため、投光偏向部２０ａへの光の入射経路を含んだ垂直平面における反射面の傾斜角度は、ミラーモジュール２１の回転位置によって変化しない。ここでの垂直平面とは、Ｙ軸に沿った平面をいう。つまり、図１１のグラフに示すように、投光偏向部２０ａから出射される光の主走査方向であるＸ軸方向への出射角度（即ち、水平角度）によらず、副走査方向であるＹ軸方向への出射角度（即ち、垂直角度）は一定となる。従って、二次元的に設定される走査範囲内に、光ビームが隙間なく照射される。
【００４５】
ここで、図１３に、微調整前及び微調整後の受光素子３１と受光ビームの関係を例示する。光源１１の位置を調整することで光ビームＢ１１，Ｂ１２に基づく受光ビームの照射位置は一体に変化する。同様に、光源１２の位置を調整することで光ビームＢ２１，Ｂ２２に基づく受光ビームの照射位置は一体に変化する。しかも、それぞれが異なる偏向ミラー２１１，２１２に入射されるため、光源１１に基づく受光ビームの位置と、光源１２に基づく受光ビームの位置とは、それぞれ独立に調整できる。また、光源１１，１２の位置調整量ができるだけ少なくなるように、あるいは光源１１，１２のいずれかの一方だけ位置調整を行えばよくなるように、受光素子３１の位置を調整してもよい。
【００４６】
［５．効果］
以上詳述したライダー装置１によれば、以下の効果を奏する。
（５ａ）ライダー装置１では、光源１１，１２として、複数の発光領域Ａ１，Ａ２を有するマルチストライプ半導体レーザが用いられ、二つの光源１１，１２から出力される２対の光ビームＢ１１，Ｂ１２及びＢ２１，Ｂ２２は、副走査方向に隙間なく配列されるように設定されている。このため、ライダー装置１によれば、主走査方向への１回分の走査によって、副走査方向には４画素分の走査が行われる。つまり、少ない発光回数で多くの画素が得られるため、走査の高分解能化と光源１１，１２の長寿命化とを両立させることができる。
【００４７】
（５ｂ）ライダー装置１では、スキャン部２０が有する複数の反射面を形成する偏向ミラー２１１，２１２は、いずれもモータ２３の回転軸の軸方向に対して平行に配置されている。このため、ライダー装置１によれば、主走査方向における光の出射角度（即ち、水平角度）によらず副走査方向における光の出射角度（即ち、垂直角度）を一定とすることができ、二次元的に設定された走査範囲内に、隙間なく光を照射することができる。
【００４８】
（５ｃ）ライダー装置１では、各光源１１，１２における発光領域の幅Ｌと、発光領域間の隙間ＳがＬ≧Ｓを満たすように設定されている。Ｌ−Ｓを大きくするほど、異なる光源１１，１２から出力される光ビーム同士が重複する領域が大きくなる。このため、ライダー装置１によれば、製造誤差によるＬ，Ｓの変動を吸収できるように重複領域の大きさを適宜設定することにより、二次元的に設定された走査範囲内に、光が照射されない隙間、即ち、検出不能な死角が生じる可能性を、より一層低減することができる。
【００４９】
（５ｄ）ライダー装置１では、投光部１０が有する複数の光源１１，１２は、各光源１１，１２の光軸がいずれも基準面に対して傾斜するように配置されている。しかも、光源１２から投光偏向部２０ａに至る経路が、投光折返ミラー１５を用いて曲げられている。このため、ライダー装置１では、光源１１，１２を、縦位置が重なるように配置することができ、Ｙ軸方向の装置サイズを小型化できる。
【００５０】
（５ｅ）ライダー装置１では、複数の光源１１，１２が、それぞれ異なる偏向ミラー２１１，２１２を用いて投光及び受光を行うように制御される。このため、ライダー装置１によれば、製造誤差等により偏向ミラー２１１，２１２の反射面がモータ２３の回転軸に対して傾いてしまった場合でも、受光素子３１と受光ビームとの関係を、光源１１，１２毎に、互いに他方の光源の影響を受けることなく独立に調整することができる。その結果、調整作業を容易に行うことができる。
【００５１】
［６．他の実施形態］
以上、本開示の実施形態について説明したが、本開示は上述の実施形態に限定されることなく、種々変形して実施することができる。
【００５２】
（６ａ）上記実施形態では、光源１１，１２のＹ軸方向の位置を、光源１１から反射点Ｐに至る光の経路が投光折返ミラー１５に遮られることがないように設定されているが、これに限定されるものではない。例えば、図１４に示すように、投光折返ミラー１５の代わりに、偏光ビームスプリッタ１６を設けてもよい。この場合、光源１１と光源１２とが出力する光の偏光方向を９０°異ならせ、偏光ビームスプリッタ１６は、光源１１からの光を透過し、光源１２からの光を反射するように配置する。これにより、偏光ビームスプリッタ１６を、光源１１から反射点Ｐに至る光の経路に設けることができる。つまり、図１５に示すように、光源１１，１２のＹ軸方向の位置を略同じとすることができるため、Ｙ軸方向の装置サイズをより小型化することができる。
【００５３】
なお、光源１１，１２からは同一の偏光方向を有する光を出力させ、いずれか一方の光を、波長板等によって変化させてもよい。
（６ｂ）上記実施形態では、光源１１，１２として、２つの発光領域を有するマルチストライプ半導体レーザを用いたが、これに限定されるものではない。例えば、図１６に示すように、３つの発光領域を有するマルチストライプ半導体レーザを用いてもよい。この場合、上記実施形態と同様に、発光領域幅をＬ、領域間の隙間をＳとしてＬ≧Ｓを満たすように設定すればよい。但し、製造誤差による隙間発生を防止するためには、ある程度Ｌ−Ｓの大きさを確保することが望ましい。
【００５４】
（６ｃ）上記実施形態では、光源の数が２個である場合を示したが、これに限定されるものではなく、光源の数は３個以上でもよい。例えば、光源の数が３個であり、各光源はそれぞれ２つの発光領域を有する場合、２Ｌ≧Ｓを満たすように発光領域を設定する。そして、各光源から出力される光ビーム対を、Ｂ１１，Ｂ１２と、Ｂ２１，Ｂ２２と、Ｂ３１，Ｂ３２で表すものとして、図１７に示す位置関係を満たすように、各光源を配置すればよい。即ち、Ｂ１１とＢ１２と間の隙間をＢ２１及びＢ３１が覆い、Ｂ２１とＢ２２の隙間をＢ３１及びＢ１２が覆い、Ｂ３１とＢ３２との隙間をＢ１２及びＢ２２が覆うようにする。なお、光源の数がＭ個である場合、（Ｍ−１）×Ｌ≧Ｓを満たすように発光領域を設定すればよい。
【００５５】
（６ｄ）上記実施形態では、光源１１，１２は、互いの光軸が交差するように設定されているが、逆に互いの公軸が離れるように設定されてもよい。
（６ｅ）上記実施形態では、スキャン部２０は、２つの偏向ミラー２１１，２１２を有するが、３つ以上の偏向ミラーを有してもよい。また、上記実施形態では、同一の偏向ミラー上に、投光偏向部２０ａと受光偏向部２０ｂとが設けられているが、投光偏向部２０ａと受光偏向部２０ｂとで、異なる偏向ミラーが用いられていてもよい。
【００５６】
（６ｆ）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本開示の実施形態である。
【００５７】
（６ｇ）上述したライダー装置の他、当該ライダー装置を構成要素とするシステムなど、種々の形態で本開示を実現することもできる。
【符号の説明】
【００５８】
１…ライダー装置、２…光検出モジュール、１０…投光部、１１，１２…光源、２０…スキャン部、３０…受光部。
【図１】
2019128229.tif 000003
【図２】
2019128229.tif 000004
【図３】
2019128229.tif 000005
【図４】
2019128229.tif 000006
【図５】
2019128229.tif 000007
【図６】
2019128229.tif 000008
【図７】
2019128229.tif 000009
【図８】
2019128229.tif 000010
【図９】
2019128229.tif 000011
【図１０】
2019128229.tif 000012
【図１１】
2019128229.tif 000013
【図１２】
2019128229.tif 000014
【図１３】
2019128229.tif 000015
【図１４】
2019128229.tif 000016
【図１５】
2019128229.tif 000017
【図１６】
2019128229.tif 000018
【図１７】
2019128229.tif 000019